(57)【特許請求の範囲】
【請求項１】
標的型光治療を治療部位に適用するべく光治療装置に接続可能である線量測定デバイスであって、前記線量測定デバイスは、
ハウジングと、
吸収性、反射性および部分的に透過性のうちの少なくとも１つである複数の領域を含む光学マトリックスであって、前記複数の領域のうちの少なくとも１つは前記ハウジングに接続されるか、前記ハウジング内に形成されるかである、光学マトリックスと、を備え、
吸収性、反射性および部分的に透過性な前記複数の領域の各々は、異なる強度の光が通過することを可能にする、線量測定デバイス。
【請求項２】
前記光治療装置は、単一の量のＵＶＢ光を前記光学マトリックスに伝搬し、
前記光学マトリックスは、前記単一の量のＵＶＢ光を、様々な強度のＵＶＢ光に分割する、
請求項１に記載の線量測定デバイス。
【請求項３】
前記線量測定デバイスの外部から光束が導入され、
前記光束は、前記線量測定デバイスの内部を、前記線量測定デバイスの長手方向に送信され、
前記複数の領域は、前記長手方向に垂直な面内においてマトリックス状に配置される、
請求項１または２に記載の線量測定デバイス。
【請求項４】
前記ハウジングは、１つの光学窓を有し、
前記光学マトリックスは、前記１つの光学窓によってカプセル化され、
前記面内において、前記複数の領域は前記１つの光学窓の内部に配置される、
請求項３に記載の線量測定デバイス。
【請求項５】
前記面内において、前記１つの光学窓の中央に、前記複数の領域のうち最も透過性の高い領域が配置される、請求項４に記載の線量測定デバイス。
【請求項６】
前記ハウジングは、前記光学マトリックスが前記ハウジング内に配置された状態で、前記光治療装置と着脱可能に接続されるように構成されている、請求項１から５のいずれか一項に記載の線量測定デバイス。
【請求項７】
前記ハウジングに設けられたユーザーインターフェースをさらに備え、
前記線量測定デバイスの外部からのエネルギー供給は、前記ユーザーインターフェースにより制御される、
請求項１から６のいずれか一項に記載の線量測定デバイス。
【請求項８】
前記光学マトリックスは、実質的に正方形である、請求項１から７のいずれか一項に記載の線量測定デバイス。
【請求項９】
前記光学マトリックスの吸収性、反射性および部分的に透過性のうちの少なくとも１つである前記複数の領域の各々は、正方形、長方形、円形または卵形である、請求項１から８のいずれか一項に記載の線量測定デバイス。
【請求項１０】
前記複数の領域の各々は、金属、マルチ誘電体および誘電体コーティングのうちの少なくとも１つ、または、ＵＶＢ領域の複数のボリューム吸収材料を含む、請求項１から９のいずれか一項に記載の線量測定デバイス。
【請求項１１】
前記光が、ＵＶＢ光である、請求項１から１０のいずれか一項に記載の線量測定デバイス。
【請求項１２】
線量測定デバイスと、ＵＶＢ光を分注する光治療装置とを備えるシステムの作動方法であって、前記線量測定デバイスは、
ハウジングと、前記ハウジング内に配置され、様々な強度の光が通過することを可能にする吸収性、反射性および部分的に透過性のうちの少なくとも１つである複数の領域を含む光学マトリックスとを備え、
様々な強度の前記ＵＶＢ光が前記複数の領域を同時または連続して通過するように、前記光学マトリックスの前記複数の領域を介して前記光治療装置からの前記ＵＶＢ光を伝搬する段階
を備える方法。
【請求項１３】
単一の量のＵＶＢ光を前記光学マトリックスに伝搬する段階と、
前記光学マトリックスが、前記単一の量のＵＶＢ光を様々な強度のＵＶＢ光に分割する段階と、
をさらに備える、請求項１２に記載の方法。
【請求項１４】
前記線量測定デバイスの外部から光束が導入され、
前記光束は、前記線量測定デバイスの内部を、前記線量測定デバイスの長手方向に送信され、
前記複数の領域は、前記長手方向に垂直な面内においてマトリックス状に配置される、
請求項１２または１３に記載の方法。
【請求項１５】
前記ハウジングは、１つの光学窓を有し、
前記光学マトリックスは、前記１つの光学窓によってカプセル化され、
前記面内において、前記複数の領域は前記１つの光学窓の内部に配置される、
請求項１４に記載の方法。
【請求項１６】
前記面内において、前記１つの光学窓の中央に、前記複数の領域のうち最も透過性の高い領域が配置される、請求項１５に記載の方法。
【請求項１７】
前記ハウジングは、前記光学マトリックスが前記ハウジング内に配置された状態で、前記光治療装置と着脱可能に接続されるように構成されている、請求項１２から１６のいずれか一項に記載の方法。
【請求項１８】
前記ハウジングに設けられたユーザーインターフェースをさらに備え、
前記線量測定デバイスの外部からのエネルギー供給は、前記ユーザーインターフェースにより制御される、
請求項１２から１７のいずれか一項に記載の方法。
【請求項１９】
前記光治療装置は、３０８ｎｍで前記ＵＶＢ光を伝搬する、請求項１２から１８のいずれか一項に記載の方法。
【発明の詳細な説明】
【技術分野】
【０００１】
本発明は、皮膚疾患の標的型光治療処置に関し、より詳しくは、個人に投与され得る最適な光治療の治療量を決定して皮膚疾患の治療に役立つべく、光の量を個人の皮膚に接触する光の様々な強度レベル（エネルギー／単位面積）の複数の投与量へと分注するデバイスに関する。
【背景技術】
【０００２】
紫外線エネルギーを分注する標的型光治療（例えば、狭帯域、３０８ｎｍのエキシマレーザ）の方法および装置が、各種の皮膚病（例えば、乾癬、白斑、白皮症、アトピー性皮膚炎および円形脱毛）向けの効果的かつ安全な治療法として知られている。 
【０００３】
乾癬、白斑および他の皮膚疾患は、数百万の人々を冒している。これらの皮膚病は、軽度から重度に及ぶことがあり、事実上の病的状態、心理的ストレスにつながることがあり、皮膚疾患にかかった個人の生活の質に甚大な悪影響をもたらすことがある。利用可能な療法は、これらの疾患の程度および重症度を低減し、個人の生活の質を改善することができるが、複数の報告は、現在の治療モダリティの有効性、コストおよび不都合に対する不満を指摘している。
【０００４】
乾癬または白斑持ちの個人向けの共通の治療モダリティは、光治療センターにて投与される光治療を受けることである。これらのセンターでは、個人は、Ａ範囲（ＰＵＶＡ）内の狭帯域（ＮＢ）または広帯域（ＢＢ）、ＵＶＢ光（２９０−３２０ｎｍ）、またはソラーレンプラス紫外光（３２０−４００ｎｍ）療法にさらされる。紫外光は、免疫調節機構を介して乾癬の症状を低減する。ＵＶ光を用いたアトピー性皮膚炎および円形脱毛症の治療も同程度ではないが、研究されている。白皮症および白斑の治療はＵＶ光に依拠し、メラニン／メラニン細胞の欠如に起因した皮膚を再着色するのに役立つ。 
【０００５】
従来のＵＶＢ光治療に関して、投与は、乾癬プラークの厚さと関連した個人のフィッツパトリックスキンタイプ（すなわち、皮膚の色および暗さ）か、個人の最小紅斑量（ＭＥＤ）の測定のどちらかに基礎を置いている。個人の最小紅斑量は、正常／健康な組織にかなり赤い紅斑皮膚反応を生じるＵＶＢ量である。個人の最小紅斑量パラダイムより高い投与は、所望されない（すなわち、より重い）組織反応、および水疱形成さえもたらすことがある。しかしながら、個人の適切な投与実施計画を決定するこれらの２つの方法のいずれもが治療的に最適ではなく、典型的には、保守的すぎるレベルで投与することになり、今度は治療効果が減少することになる。これは、フィッツパトリックスキンタイプの利用は、（多くの個人には当てはまらない歴史的な標準に基づく）個人の最大耐量（ＭＴＤ）での推量にすぎず、罹患した組織は治療されず、健康／正常な組織の耐性を測定するにすぎない最小紅斑量方法の基本的な限界だからである。いずれにしても、臨床医が現在の投与パラダイムが未熟な推量にすぎないことを認識しており、期待され得るより一層低いレベルで投与を開始する場合、多くの個人は一様に次善のＵＶＢ投与が施される。臨床医がそのようにするのは、極端な紅斑、水疱形成、およびあり得る負傷につながる個人の最小水疱形成量（ＭＢＤ）より上になり得る最小紅斑量より高いレベルでの故意ではない投与を回避することを目的としてである。この問題は、最適な量（すなわち、ＭＴＤ、ＭＢＤに近いが、それよりはわずかに低い量）が個人毎に大きく変わり得、不可能ではないにしても、個人の最適な量を正確に測ることを非常に困難にするという事実によって増大される。このため、個人の最小水疱形成量を決定する客観的手段を有しないことは、臨床医が個人の最適な量レベルでより効果的に投与することを妨げ、これは、所望の臨床結果を得るべく必要とされるＵＶＢ治療セッションの総数を相当低くしかねない。
【０００６】
必要とされる典型的に高い数の治療セッションの結果として、光治療の使用は、その治療の全体の不都合に起因して一般に制限される。疾患を効果的に治療するべく、複数の正規の治療セッションが必要な養生法に対する承諾は、多くの場合、時間、移動およびその費用が原因で不十分であるのが普通である。他のより効果の少ない治療（例えば、局所処方および医師の処方が不要の局所クリーム）はしばしば、個人のより便利な予備オプションである。 
【発明の概要】
【０００７】
本発明は、個人の最適な光治療の量を決定するのに役立つ線量測定デバイスに向けられ、個人の最大耐量かその近くで皮膚疾患をそれゆえ治療するべく、個人の最小水疱形成量を評価することによって、個人の光治療耐性を迅速かつ容易に測定することにより、皮膚疾患の治療に役立つ。個人の最大耐量か、その近くで皮膚疾患を治療することによって、個人の皮膚疾患を寛解へと置き換えるべく必要とされる治療セッションの全数は、大幅に減少することができる。
【０００８】
一実施形態において、本発明は、標的型光治療を治療部位（例えば、皮膚組織上）に適用する光治療装置に接続可能である線量測定デバイスに向けられる。そのデバイスは、ハウジングと、吸収性、反射性および／または部分的に透過性のうちの少なくとも１つである複数の領域を含むハウジング内に配置された光学マトリックスとを備え、それぞれ（光束の入射の割合として表現される）強度が異なる光および／または、範囲が異なる光が通過することを可能にする。一実施形態において、光治療装置から分注された光は、ＵＶＢ光である。
【０００９】
一実施形態において、光学マトリックスは、ハウジングに接続されることができる。一実施形態において、光学マトリックスは、ハウジング内に形成されることができる。一実施形態において、光学マトリックスは、多くても９つの領域を含み得る。一実施形態において、光学マトリックスは、５つの領域を含み得る。一実施形態において、上記の複数の領域を通過する光の強度は、ある領域の約２０％から別の領域の約１００％まで及び得る。一実施形態において、上記の領域を通過する光の強度は、ある領域の約０％から別の領域の約９０％まで及び得る。
【００１０】
一実施形態において、光学マトリックスは、実質的に正方形であり、各領域が約５ｍｍ×５ｍｍにサイズ決定されたおよそ約２ｃｍ×２ｃｍであり得る。一実施形態において、光学マトリックスの領域の各々は、正方形、長方形、円形または卵形である。一実施形態において、光学マトリックスは、複数のＵＶＢ反射コーティングから成り得る。一実施形態において、反射コーティングは、約３０８ｎｍの出力ＵＶＢ光に対して構成される。一実施形態において、光学マトリックスの複数の領域の各々は、金属または誘電体コーティングの少なくとも１つを含む。一実施形態において、光学マトリックスの複数の領域の各々は、異なるフィルタを含む。
【００１１】
一実施形態において、本発明は、皮膚疾患の治療に役立つべく、皮膚組織に適用することが可能である光治療の最大耐量を解析する方法に向けられる。その方法は、ハウジングと、通過する光の様々な伝搬を可能にする吸収性、反射性および／または部分的に伝搬するうちの少なくとも１つである複数の領域を含む、ハウジング内に配置された光学マトリックスとを備える線量測定装置を提供する工程と、線量測定装置をＵＶＢ光を分注するように構成された光治療装置に接続する工程と、治療部位、またはその近くに光治療装置を配置する工程と、ＵＶＢ光の様々な量が治療中の各種の部位に同時または連続して適用されるべく、光治療装置からのＵＶＢ光を光学マトリックスの複数の領域を介して伝搬する工程を備える。
【００１２】
一実施形態において、その方法は、治療されている皮膚の最小水疱形成量を評価するべく、ＵＶＢ光を治療部位に適用する工程に続いて、例えば、ＵＶＢ光が治療部位に適用されたおよそ２４から４８時間後に治療部位を解析する工程をさらに備える。一実施形態において、その方法は、治療された部位に水疱形成することなく、ＵＶＢ光の最大耐量を治療部位に適用して、それにより最適な治療量の適用を可能にする工程をさらに備えることができる。
【図面の簡単な説明】
【００１３】
【図１Ａ】手持ち光治療デリバリー装置と、そのデリバリー装置に接続可能であるエンドピースの斜視図である。
【００１４】
【図１Ｂ】エンドピースがデリバリー装置に取り付けられ、光束がエンドピースを介して延びる、図１Ａの手持ち光治療デリバリー装置と、エンドピースの斜視図である。
【００１５】
【図１Ｃ】図１Ｂのエンドピースを介して延びる光束の端面図である。
【００１６】
【図２】手持ち光治療デリバリー装置と、円形ダイヤフラムが光束の整形のためこれに接続されたエンドピースの一実施形態との斜視図である。
【００１７】
【図３Ａ】光感度マトリックスの一実施形態を示す本発明の線量測定デバイスの一実施形態の正面図である。
【００１８】
【図３Ｂ】図３Ａのマトリックスの端面図である。
【００１９】
【図４】光感度マトリックスの一実施形態を示す本発明の線量測定デバイスの一実施形態の端面図である。
【００２０】
【図５】光感度マトリックスの一実施形態を示す本発明の線量測定デバイスの一実施形態の端面図である。
【００２１】
【図６】本発明の線量測定デバイスによる光感度マトリックスを介した光エネルギーを供給するように構成されたエキシマ光治療システムの一実施形態である。
【００２２】
【図７】エキシマ光治療システムの一実施形態を示す概略図である。
【００２３】
【図８】治療部位に適用され得る光治療の最大耐量を解析するために採用され得る複数の工程の一実施形態の概要を示すフローチャートである。
【発明を実施するための形態】
【００２４】
次に、図面を参照して、図１Ａから図１Ｃは、デリバリー装置１０と、これに接続可能である先端ピース１２との一実施形態を説明し、皮膚疾患にかかった個人の皮膚上への治療モダリティとして標的型光治療を適用するべく、デリバリー装置１０から所望の形状へと分注可能である光束１４を与える。図１Ａに示されるように、先端ピース１２は、第１の方向の先端ピース１２の一端から延び、先端ピース１２をレーザデリバリー装置１０に着脱可能に接続するように構成された複数のタブ１３を含む。
【００２５】
図１Ｂおよび図１Ｃに示されるように、一実施形態において、先端ピース１２は、例えば、２ｃｍ×２ｃｍとなり得るデリバリー装置１０から正方形の光束１４をサイズ決定し、それを分注することができる。そのような正方形の光束１４の端面図は、図１Ｃに示される。 
【００２６】
図２の一実施形態に示されるように、手持ち光治療デリバリー装置１０および先端ピース１２は、光束１８を整形するのに役立つべく、手持ち光治療デリバリー装置１０およびエンドピース１２を部分的に包含するダイヤフラム１６を含み得る。ここで、光束１８は、円柱状である。
【００２７】
図３Ａに示されるように、本発明は、光エネルギーのある量を、次に治療部位上へと同時または連続して適用され得る光エネルギーの様々なレベルの複数の量へと分配し、個人の光治療の最小水疱形成量を測定することによって皮膚疾患にかかった個人向けの最適な光治療の治療量を決定することができる、線量測定デバイス２０に関する。個人の最小水疱形成量かそれに近い量で皮膚疾患にかかった個人を治療することによって、個人の皮膚疾患部を寛解へと置き換えるべく必要とされる治療セッションの全数は、大幅に減少され得る一方、個人の皮膚の焼けは十分に減少され得、大半の事例では、回避され得る。次に、個人が、既知の治療手順からの時間およびコストの節約および既知の治療手順よりも水疱形成からの相当な不快さのリスクがより低くなることに起因して皮膚疾患の必要な継続的な治療を追求する可能性はきわめて高いであろう。
【００２８】
図３Ａの一実施形態に示されるように、線量測定デバイス２０は、感度マトリックス２４がハウジング２２内に配置された状態で、光治療デリバリー装置１０と着脱可能に接続されるように構成されたハウジング２２を含む。図３Ａから図５の複数の実施形態に示されるように、デバイス２０のハウジング２２は円柱状である。しかしながら、ハウジング２２の形状は、四角、長方形、楕円、三角および台形を含む任意の形状であり得るが、これらに限定されるものではない。感度マトリックス２４は、任意の既知の方法でハウジング２２に接続され得る。 
【００２９】
図３Ａおよび図３Ｂの一実施形態において、感度マトリックス２４は、複数の領域２６、２８、３０、３２、３４、３６、３８、４０、４２から成り、それらのそれぞれは、個人の最小水疱形成量耐性を評価し、次に個人の最大耐量で患者を最適に治療するべく、所定の強度の光がそれらを通過できるように設計される。感度マトリックス２４は、３×３行列を形成する９つの領域２６、２８、３０、３２、３４、３６、３８、４０、４２を含む。しかしながら、領域の数および配置は変化することができ、マトリックス２４は、任意の所望の行列またはパターンに配置され得る任意の数の領域から成り得、さもなければ単一の特有の量レベルであったものを、潜在的に適用可能な治療処置レベルの範囲全体を同時にカバーする複数の量レベルの配列へと変化させることができる。
【００３０】
一実施形態において、感度マトリックス２４の領域２６、２８、３０、３２、３４、３６、３８、４０、４２は、様々な強度の光がこれらを通過することを可能にする吸収性および／または反射性材料から成っている。別の実施形態において、感度マトリックス２４の領域２６、２８、３０、３２、３４、３６、３８、４０、４２はそれぞれ、様々な強度の光がこれらを通過することを可能にする複数の部分的に透過性の材料またはフィルタから成っている。一実施形態において、マトリックス２４は、溶融石英の光学構成要素から成っている。一実施形態において、マトリックス２４の領域２６、２８、３０、３２、３４、３６、３８、４０、４２は、全体におよび／または部分的に反射性材料から成り得る。反射性材料は、誘電体干渉フィルタ（例えば、部分反射体）であり得る。一実施形態において、フィルタは、マルチ誘電体干渉フィルタであり得る。一実施形態において、フィルタは、金属コーティングであり得、誘電体強化金属反射体を含む得る。一実施形態において、フィルタは、金属であり得、アルミニウムまたは銀などの材料から成り得る。一実施形態において、フィルタは、誘電体干渉フィルタ、マルチ誘電体干渉フィルタおよび金属コーティングの組み合わせであり得る。
【００３１】
一実施形態において、フィルタは、約０％と９９％との間の少量のエネルギー量を反射し、その量を様々な強度のエネルギーの複数の光束または光線へと分割し、様々な強度のエネルギーの複数の光束または光線を個人上へ伝搬する。
【００３２】
一実施形態において、図３Ａおよび図３Ｂに示されるマトリックス２４の領域２６、２８、３０、３２、３４、３６、３８、４０、４２を通過することができる光強度は、およそ約２０％から１００％に及び得る。別の実施形態において、マトリックス２４の領域２６、２８、３０、３２、３４、３６、３８、４０、４２を通過することができる光強度は、およそ約２０％から９０％に及び得る。しかしながら、マトリックス２４の領域２６、２８、３０、３２、３４、３６、３８、４０、４２を通過するべく許容される光の数、形状および強度は変化し得、本明細書に説明される数より大きいか、小さいかであり得る。 
【００３３】
図４および図５は、線量測定デバイス４４の別の実施形態を説明する。図示されるように、線量測定デバイス４４は、ハウジング４６と、その中に形成される複数の開口部５０、５２、５４、５６、５８から成る感度マトリックス４８とを含む。感度マトリックス４８は、ＵＶＢ透明光学窓６０によってカプセル化される。一実施形態において、マトリックス４８は、単一のガラス片、複数の異なるタイプのガラスまたは結晶材料から成るフィルタであり得る。このフィルタは、光の単一の入射量の様々な割合を吸収でき、そのエネルギーを様々な強度のエネルギーの光束または光線へと分割し、各種の割合の光が個人の皮膚を通過および、それと接触することを可能にする。一実施形態において、デバイス５２をレーザデリバリー装置１０に固定するべく、デバイス４４は、複数のファスナ（図示せず）が貫通して延び得る複数の開口部６２、６４、６６、６８を含む。
【００３４】
一実施形態において、マトリックス４８の開口部５０、５２、５４、５６、５８を通過することができる光強度は、およそ約２０％から１００％に及び得る。別の実施形態において、マトリックス４８の開口部５０、５２、５４、５６、５８を通過することができる光強度は、２０％から９０％に及ぶ。しかしながら、開口部の数、開口部の形状、マトリックス４８の開口を通過するべく許容され得る光強度は、開口部の数が本明細書に説明される数より大きいか、小さくなり得るように変化し得る。 
【００３５】
一実施形態において、エネルギーの単一の光治療量は、線量測定デバイス１２、４４に配置されたフィルタを用いて、異なる投与量レベルのエネルギーの複数の光束へと直接分割され得る。別の実施形態において、２またはより多くのエネルギー量は、線量測定デバイス１２、４４に配置された分割フィルタを介して、個人の皮膚に適用される（例えば、１００−５００ｍｊ／ｃｍ２の範囲の第１の量テストおよび６００−１０００ｍｊ／ｃｍ２の範囲の第２の量テスト）。 
【００３６】
デバイス１２、４４は、個人の体と接触して配置され得、デバイス２０、４４は、個人の体に着脱可能に取り付けられ得、または、デバイス２０、４４は、治療部位の近くに配置され得る。デバイス１２、４４は、再利用可能、使い捨て可能であり得、および／または感度マトリックス２２、５４は、使用毎または決められた使用回数後に新たな、または異なるマトリックスと交換され得る。
【００３７】
図６は、エキシマ光治療システム７０の一実施形態を説明する。エキシマ光治療システム７０は、電磁スペクトルのＵＶＢ領域（２９０−３２０ｎｍ）内の紫外線エネルギーを生成することにより乾癬、白斑、白皮症、アトピー性皮膚炎および脱毛症を含む各種の皮膚病向けの光治療を提供するべく設計される。具体的には、一実施形態において、光治療システム７０は、標的型光治療処置のために狭帯域、３０８ｎｍでの単色波長における各種の皮膚病の治療のために設計され、長期間におよぶＵＶＢ暴露から健康な組織を免れさせる。しかしながら、デリバリー装置は、各種の皮膚病を治療することが可能であるレーザエネルギーの代わりに任意の形態のエネルギーを分配することができる。 
【００３８】
システム７０は、カート７２内に収納され、そそれから広がり得る。カート７２は、デリバリーポート７６での一端にてカート７２に接続されるファイバー光学系デリバリーケーブル７４を含む。ハンドピースクレードル７８に置かれ得るデリバリー装置、またはハンドピース１０は、デリバリーケーブル７４の他端で接続される。ハンドピース１０は、ユーザインターフェース８０を含むことができ、システム７０からの（例えば、ＵＶＢ光の形態で）エネルギー供給を制御するべくプッシュボタン（例えば、図１Ａ参照）の形態であり得る。
【００３９】
皮膚疾患にかかっている個人の治療セッションを実行するべく、ハンドピース１０が先ず、キャリブレーションされなければならない。これは、カート７０中に延びるキャリブレーションポート８２のハンドピース１０を置くことによりなされ得る。カート７２は、他の特徴のうち、システム７０および緊急停止スイッチ８６の動作用の制御パネルタッチ画面８４をさらに含む。 
【００４０】
図７の一実施形態に模式的に示されるように、エキシマ光治療システム７０の内部構成要素は、ユーザインターフェース９０、電源９２、レーザチャンバ９４および光学系構成要素９６と直接的および／または間接的に相互作用することが可能であるシステム制御装置（すなわち、ＣＰＵ／ソフトウェア）８８を含み得る。レーザエネルギーは、ファイバー光学系によってシステム７０からハンドピース１０に供給されて、皮膚疾患にかかった個人上へ供給され得る。 
【００４１】
動作において、線量測定デバイス１２、４４を用いた結果に基づき患者のＭＴＤを決定する時、総照射線量は、ＵＶＢ投与の有効性を最適化するとともに必要とされる治療の数を最小化し、患者の安全を確実にするべく調節され得る。
【００４２】
図８は、皮膚疾患にかかった個人に適用され得る光治療のＭＴＤを解析するべく採用され得る複数の工程の一実施形態の概要を示すフローチャートを説明する。フローチャートに示されるように、光治療装置が提供され得、次に線量測定デバイスに接続される。次に、光治療装置は皮膚疾患にかかった個人の罹患部位の近くか、それと接触して配置され得る。デバイス１２、４４が、皮膚の罹患部位上に一旦方向づけられると、デリバリーシステム１０は次に、様々な強度でマトリックス２０、４８を介して進み、そのような様々な強度で皮膚の罹患部位と接触するＵＶＢ光のある量を出力し得る。その後、様々な強度で皮膚の罹患部位に光治療のＵＶＢ量を適用したおよそ２４−４８時間後に、間もなく、個人は臨床医の事務所に戻ることができ、そこで、臨床医は、テストされた部位を評価し、ＵＶＢ光のどの割合が水疱形成反応を示したかを観察することにより個人のＭＢＤを決定することができる。個人のＭＢＤを知ることによって、個人はその後、かれらのＭＢＤよりわずかに低い、かれらの最適条件またはＭＴＤで治療され得る。 
【００４３】
特定の用語を用いて説明される特定の実施形態に言及がなされているが、そのような説明は、例示目的のためにすぎず、そのような実施形態に対する変更および変形は、限定されるものではないが、等価な特徴、材料または部品の代用、それらの各種の特徴のリバーサルを含み、本発明の精神および範囲から逸脱することなく当業者によって実施され得ることは理解されるべきである。このため、図面および説明は、範囲の制限的なものと理解されるべきではなく、本発明による広く、一般的な教示として理解される。
［項目１−１］
標的型光治療を治療部位に適用するべく光治療装置に接続可能である線量測定デバイスであって、上記線量測定デバイスは、
ハウジングと、
吸収性、反射性および部分的に透過性のうちの少なくとも１つである複数の領域を含む光学マトリックスであって、上記複数の領域のうちの少なくとも１つは上記ハウジングに接続されるか、上記ハウジング内に形成されるかである、光学マトリックスと、を備え、
吸収性、反射性および部分的に透過性な上記複数の領域の各々は、透過性が異なる光が通過することを可能にする、線量測定デバイス。
［項目１−２］
上記複数の領域を通過する光の伝搬は、ある領域の約２０％から別の領域の約１００％まで及ぶ、項目１−１に記載の線量測定デバイス。
［項目１−３］
上記複数の領域を通過する光の伝搬は、ある領域の約０％から別の領域の約９０％まで及ぶ、項目１−１または１−２に記載の線量測定デバイス。
［項目１−４］
上記マトリックスは、実質的に正方形である、項目１−１から１−３のいずれか一項に記載の線量測定デバイス。
［項目１−５］
上記光学マトリックスの吸収性、反射性および部分的に透過性のうちの少なくとも１つである上記複数の領域の各々は、正方形、長方形、円形または卵形である、項目１−１から１−４のいずれか一項に記載の線量測定デバイス。
［項目１−６］
上記複数の領域の各々は、金属、マルチ誘電体および誘電体コーティングのうちの少なくとも１つ、または、ＵＶＢ領域の複数のボリューム吸収材料を含む、項目１−１から１−５のいずれか一項に記載の線量測定デバイス。
［項目１−７］
上記光が、ＵＶＢ光である、項目１−１から１−６のいずれか一項に記載の線量測定デバイス。
［項目１−８］
治療部位に適用することが可能である光治療の最大耐量を決定する方法であって、上記方法は、
ハウジングと、上記ハウジング内に配置され、様々な割合の光が通過することを可能にする吸収性、反射性および部分的に透過性のうちの少なくとも１つである複数の領域を含む光学マトリックスとを備える線量測定デバイスを提供する段階と、
上記線量測定デバイスを、ＵＶＢ光を分注する光治療装置に接続する段階と、
上記治療部位の近くに上記線量測定デバイスを配置する段階と、
様々な複数の割合の上記ＵＶＢ光が上記複数の領域を同時または連続して通過し、上記治療部位に供給されるべく、上記光学マトリックスの上記複数の領域を介して上記光治療装置からの上記ＵＶＢ光を伝搬する段階と、
を備える方法。
［項目１−９］
上記光学マトリックスの上記複数の領域を通過する上記ＵＶＢ光の上記複数の割合は、ある領域の約２０％から別の領域の約１００％まで及ぶ、項目１−８に記載の方法。
［項目１−１０］
上記光学マトリックスの上記複数の領域を通過する上記ＵＶＢ光の上記複数の割合は、ある領域の約０％から別の領域の約９０％まで及ぶ、項目１−８または１−９に記載の方法。
［項目１−１１］
上記光治療装置は、およそ約３０８ｎｍで上記ＵＶＢ光を伝搬する、項目１−８から１−１０のいずれか一項に記載の方法。
［項目１−１２］
上記治療部位の最小水疱形成量を評価するべく、上記様々な割合の上記ＵＶＢ光を上記光学マトリックスを介して上記治療部位へ伝搬する段階に続いて、上記治療部位を解析する段階をさらに備える、項目１−８から１−１１のいずれか一項に記載の方法。
［項目１−１３］
治療されている皮膚の最小水疱形成量を評価するべく、上記光学マトリックスを介して上記様々な割合の上記ＵＶＢ光が上記治療部位に適用されたおよそ２４から４８時間後に、上記治療部位は解析される、項目１−８から１−１２のいずれか一項に記載の方法。
［項目１−１４］
治療部位の水疱形成のないほぼ最適な治療量を決定するべく、上記光学マトリックスを介した上記治療部位への上記様々な割合の上記ＵＶＢ光の解析からの上記ＵＶＢ光の上記最小水疱形成量の決定に基づき、上記ＵＶＢ光の最大耐量を上記治療部位に適用する段階をさら備える、項目１−１２または１−１３に記載の方法。
［項目２−１］
標的型光治療を治療部位に適用するべく光治療装置に接続可能である線量測定デバイスであって、前記線量測定デバイスは、
ハウジングと、
吸収性、反射性および部分的に透過性のうちの少なくとも１つである複数の領域を含む光学マトリックスであって、前記複数の領域のうちの少なくとも１つは前記ハウジングに接続されるか、前記ハウジング内に形成されるかである、光学マトリックスと、を備え、
吸収性、反射性および部分的に透過性な前記複数の領域の各々は、透過性が異なる光が通過することを可能にする、線量測定デバイス。
［項目２−２］
前記複数の領域を通過する光の伝搬は、ある領域の約２０％から別の領域の約１００％まで及ぶ、請求項２−１に記載の線量測定デバイス。
［項目２−３］
前記複数の領域を通過する光の伝搬は、ある領域の約０％から別の領域の約９０％まで及ぶ、請求項２−１または２−２に記載の線量測定デバイス。
［項目２−４］
前記マトリックスは、実質的に正方形である、請求項２−１から２−３のいずれか一項に記載の線量測定デバイス。
［項目２−５］
前記光学マトリックスの吸収性、反射性および部分的に透過性のうちの少なくとも１つである前記複数の領域の各々は、正方形、長方形、円形または卵形である、請求項２−１から２−４のいずれか一項に記載の線量測定デバイス。
［項目２−６］
前記複数の領域の各々は、金属、マルチ誘電体および誘電体コーティングのうちの少なくとも１つ、または、ＵＶＢ領域の複数のボリューム吸収材料を含む、請求項２−１から２−５のいずれか一項に記載の線量測定デバイス。
［項目２−７］
前記光が、ＵＶＢ光である、請求項２−１から２−６のいずれか一項に記載の線量測定デバイス。
［項目２−８］
線量測定デバイスと、ＵＶＢ光を分注する光治療装置とを備えるシステムの作動方法であって、前記線量測定デバイスは、
ハウジングと、前記ハウジング内に配置され、様々な割合の光が通過することを可能にする吸収性、反射性および部分的に透過性のうちの少なくとも１つである複数の領域を含む光学マトリックスとを備え、
様々な割合の前記ＵＶＢ光が前記複数の領域を同時または連続して通過するように、前記光学マトリックスの前記複数の領域を介して前記光治療装置からの前記ＵＶＢ光を伝搬する段階、
を備える方法。
［項目２−９］
前記光学マトリックスの前記複数の領域を通過する前記ＵＶＢ光の複数の割合は、ある領域の約２０％から別の領域の約１００％まで及ぶ、請求項２−８に記載の方法。
［項目２−１０］
前記光学マトリックスの前記複数の領域を通過する前記ＵＶＢ光の複数の割合は、ある領域の約０％から別の領域の約９０％まで及ぶ、請求項２−８または２−９に記載の方法。
［項目２−１１］
前記光治療装置は、およそ約３０８ｎｍで前記ＵＶＢ光を伝搬する、請求項２−８から２−１０のいずれか一項に記載の方法。
【図１Ａ】
0006732729.tif 000002
【図１Ｂ】
0006732729.tif 000003
【図１Ｃ】
0006732729.tif 000004
【図２】
0006732729.tif 000005
【図３Ａ】
0006732729.tif 000006
【図３Ｂ】
0006732729.tif 000007
【図４】
0006732729.tif 000008
【図５】
0006732729.tif 000009
【図６】
0006732729.tif 000010
【図７】
0006732729.tif 000011
【図８】
0006732729.tif 000012